(57)【要約】【課題】本発明は、例えば、高周波伝送特性を良くするために採用される同軸ケーブルに係り、この同軸ケーブルの接続部分の編組線が、同軸コネクタに接続させた際のかしめ作業によって潰れるのを防止して、伝送特性を良好に維持させるのが課題である。【解決手段】同軸ケーブル１１におけるコネクタ接続側の端部１１ａにおいて、外部被覆を剥がして露出させた編組線３における圧着部分に、予備はんだ１０を付けて略筒状に形成したことである。【選択図】　図１
2004030971.tif 000002
【特許請求の範囲】
【請求項１】
同軸ケーブルにおけるコネクタ接続側の端部において、外部被覆を剥がして露出させた編組線における圧着部分に、予備はんだを付けて略筒状に形成したこと、
を特徴とする同軸ケーブル。
【請求項２】
請求項１に記載の同軸ケーブルを形成し、該ケーブルのコネクタ接続側の端部をかしめ前の同軸コネクタに載置し、編組線の予備はんだを付けた部分を前記同軸コネクタの編組線圧着部でかしめて、該同軸ケーブルと前記同軸コネクタとを接続させること、
を特徴とする同軸ケーブルの接続方法。
【発明の詳細な説明】
【０００１】
【発明の属する技術分野】
本発明は、例えば、高周波伝送特性を良くするために採用される同軸ケーブルに係り、更に詳しくは、この同軸ケーブルを外部導体に接続する際のかしめ状態を改良する同軸ケーブルの接続方法とそれに使用する同軸ケーブルに関する。
【０００２】
【従来の技術】
従来、同軸ケーブルの端部を、機器等のプレスタイプの同軸コネクタに接続するには、図３に示すように、同軸ケーブル１のコネクタ接続側の端部１ａにおいて、外部被覆１ｂを工具で剥がして編組線３を露出させ、更に、編組線３の一部をカットして半透明絶縁体４を露出させ、該絶縁体４の先端部をカットして芯線５を露出させる。
【０００３】
そして、上記端部処理した同軸ケーブル１を、図３に示すように、従来例▲１▼として、金属製の外部導体としての同軸コネクタ６に嵌装させる。この同軸コネクタ６の導体部６ａの内部で当該導体部６ａとは絶縁された中心コンタクトに前記芯線５を接続させ、かしめ前の編組線圧着部６ｂに前記編組線３を載置し、かしめ前の固定部６ｃに外部被覆１ｂを載置する。
【０００４】
次に、前記編組線圧着部６ｂと固定部６ｃを工具にて、かしめて圧着する。この接続方法では、露出した編組線３をそのまま、かしめる方法であるが、他の接続方法に係る従来例▲２▼として、図３に示すように、前記編組線３と絶縁体４との間に金属製のパイプ７を介装させて、編組線圧着部６ｂおよび固定部６ｃをかしめて接続する方法とが知られている。
【０００５】
【発明が解決しようとする課題】
しかしながら、上記従来例▲１▼においては、柔らかい合成樹脂製の絶縁体４が、編組線圧着部６ｂによるかしめ作業の際に、潰れてしまい、この圧着部の特性インピーダンスが乱れて伝送特性が悪化するおそれがある。これは、図４に示すように、絶縁体４の直径Ｄが圧着により変形するとその径が変化して、特性インピーダンスのα×ｌｏｇ（Ｄ／ｄ）の値が変化してしまうからである。更に、経年変化により、前記絶縁体４が収縮すると、前記編組線圧着部６ｂの電気的接触性能も劣化する。
従来例▲２▼では、そのような編組線圧着部での絶縁体４の直径の変化を抑制すべく、金属製のパイプ７が介装されたものであるが、この場合にも、部品点数の増加、また、パイプの肉厚分だけ編組線部の外径が大きくなって小型化が図れないという課題がある。また、上記従来例▲１▼，▲２▼ともに、編組線３がほぐれて前記編組線圧着部からひげ状に飛び出すおそれがある。本発明に係る同軸ケーブルとその接続方法は、このような課題を解消するために提案されたものである。
【０００６】
【課題を解決するための手段】
本発明に係る同軸ケーブルの上記課題を解決するための要旨は、同軸ケーブルにおけるコネクタ接続側の端部において、外部被覆を剥がして露出させた編組線における圧着部分に、予備はんだを付けて略筒状に形成したことである。
【０００７】
また、本発明に係る同軸ケーブルの接続方法は、上記同軸ケーブルを形成し、該ケーブルのコネクタ接続側の端部をかしめ前の同軸コネクタに載置し、編組線の予備はんだを付けた部分を前記同軸コネクタの編組線圧着部でかしめて、該同軸ケーブルと前記同軸コネクタとを接続させる方法とするものである。
【０００８】
本発明に係る同軸ケーブルとその接続方法によれば、編組線の機械的強度が増加して潰れ難くなるとともに、編組線部分の外径も大きくならない。よって、伝送特性の悪影響を及ぼさず、経年変化で絶縁体が収縮しても電気的接触性能が劣化しない。更に、編組線がばらばらになって、ほぐれると言うおそれもない。
【０００９】
【発明の実施の形態】
次に、本発明に係る同軸ケーブルとその接続方法について図面を参照して説明する。なお、発明の理解を容易にするため、従来例に対応する部分には、従来例と同一符号を付けて説明する。
【００１０】
図１に示すように、同軸ケーブル１１におけるコネクタ接続側の端部１１ａにおいて、外部被覆２を剥がして編組線３を外部に露出させる。当該露出させた編組線３における少なくとも圧着部分に、例えば、はんだ槽に浸漬させる等して、予備はんだ１０を付けて一体的に固定し、略筒状に形成する。
【００１１】
前記予備はんだ１０を露出した編組線３に付けることで、編組線３の圧着部分の機械的強度が向上する。
【００１２】
次に、前記端部１１ａにおいて、予備はんだ１０の付いた編組線３の先端側一部を工具で剥がして、絶縁体４を露出させ、更に、該絶縁体の一部を剥がして芯線５を所望長さで、外部に露出させる。
【００１３】
前記予備はんだ１０を付けたケーブル１１のコネクタ接続側の端部１１ａを、図２に示すように、かしめ前の同軸コネクタ６に載置する。
【００１４】
前記編組線３の予備はんだ１０を付けた圧着部分を、前記同軸コネクタ１０の編組線圧着部６ｂで、図中矢印で示すように、かしめ工具でかしめる。また、固定部６ｃを工具で、図中矢印で示すようにかしめる。こうして、同軸ケーブル１１と前記同軸コネクタ６とを接続させるものである。
【００１５】
【発明の効果】
以上説明したように、本発明に係る同軸ケーブルは、同軸ケーブルにおけるコネクタ接続側の端部において、外部被覆を剥がして露出させた編組線における圧着部分に、予備はんだを付けて略筒状に形成したので、同軸コネクタに圧着して接続しても、機械的強度が増加したことで編組線部分が潰れることがない。また、編組線が予備はんだにより一体的に固定されるので、ひげが周囲に飛び出すおそれもないと言う優れた効果を奏するものである。
よって、同軸ケーブルの特性インピーダンスが一定となり、伝送特性が良好に維持されるようになると言う優れた効果を奏するものである。更に、編組線の圧着部における電気的接触性能も悪化しないものである。
【００１６】
本発明に係る同軸ケーブルの接続方法は、同軸ケーブルを形成し、該ケーブルのコネクタ接続側の端部をかしめ前の同軸コネクタに載置し、編組線の予備はんだを付けた部分を前記同軸コネクタの編組線圧着部でかしめて、該同軸ケーブルと前記同軸コネクタとを接続させる接続方法なので、同軸ケーブルの特性インピーダンスが一定となって、同軸ケーブルの伝送特性が良好に維持され、編組線の圧着部における電気的接触性能も悪化しないものである。
【図面の簡単な説明】
【図１】本発明に係る同軸ケーブル１１の一部正面図である。
【図２】同本発明に係る同軸ケーブル１１の接続方法を示す説明図である。
【図３】従来例▲１▼，▲２▼に係る同軸ケーブル１の接続方法を示す説明図である。
【図４】同軸ケーブル１の断面図であって、特性インピーダンスを説明するためのものである。
【符号の説明】
１、１１　　　　同軸ケーブル、　　１ａ，１１ａ　コネクタ接続側の端部、
２　　　　　　　外部被覆、　　　　３　　　　　　編組線、
４　　　　　　　絶縁体、　　　　　５　　　　　　芯線、
６　　　　　　　同軸コネクタ、　　　６ａ　　　　　導体部、
６ｂ　　　　　　編組線圧着部、　　６ｃ　　　　　固定部、
７　　　　　　　パイプ、
１０　　　　　　予備はんだ。
【図１】
2004030971.tif 000003
【図２】
2004030971.tif 000004
【図３】
2004030971.tif 000005
【図４】
2004030971.tif 000006